(57)【特許請求の範囲】
【請求項１】
スポーツ用品の表面に模様層を具備しており、該模様層が単一層の場合は該模様層が所定層であり、複数層から成る場合は該複数層の内の所定層につき、該所定層の下面に隣接する該所定層の付着する付着対象面は所定の微細凹凸となった表面荒らしが成されており、該所定層の上面は所定方向に沿った断面において波状となった波状凹凸を呈しており、これら波状凹凸を形成する複数の離散的凸条はスポーツ用品の表面に沿って延伸していると共に、該複数の離散的凸条の半数以上は各凸条を区画形成する両長辺の少なくとも一辺が該辺の延伸方向に沿って波状に形成されており、該辺の波状のピッチと前記波状凹凸のピッチの何れよりも、前記微細凹凸の凸間隔が小さいことを特徴とする模様を有するスポーツ用品。
【請求項２】
前記所定層はインクジェット式印刷によって形成される層であり、噴射して付着対象面に付着した状態の液滴の直径よりも前記微細凹凸の凸間隔が小さい請求項１記載の模様を有するスポーツ用品。
【請求項３】
前記微細凹凸は、研摩材によって荒らされた荒らし面であり、前記所定層がＵＶ硬化インクの層である請求項１又は２記載の模様を有するスポーツ用品。
【請求項４】
前記模様層が複数層から成る場合であって、該模様層を構成する層として前記所定層の上に層が適宜数存在し、
前記所定層がＵＶ硬化インクによって形成されていると共に、該所定層は上方から視認しても下方の層が視認できない隠蔽層であるか、又は、該所定層は透明又は半透明のＵＶ硬化インクの層であって、該所定層よりも上の何れかの層もＵＶ硬化インクによって形成されていると共に、該何れかの層は上方から視認しても下方の層が視認できない隠蔽層であり、
該隠蔽層の上方には上層を設け、該上層はＵＶ硬化インクによって形成されていると共に、該上層の前記隠蔽層を覆う領域において、上方からの視認により該隠蔽層の色の影響を受け得る薄さの領域を有する
請求項１〜３の何れか１記載の模様を有するスポーツ用品。
【請求項５】
前記模様層が複数層から成る場合であって、該模様層を構成する層として、前記所定層の上に層が適宜数存在すると共に下方に有色層が存在し、
前記所定層がＵＶ硬化インクによって形成されていると共に、該所定層は上方から視認しても下方の層が視認できない隠蔽層であるか、又は、該所定層は透明又は半透明のＵＶ硬化インクの層であって、該所定層よりも上の何れかの層もＵＶ硬化インクによって形成されていると共に、該何れかの層は上方から視認しても下方の層が視認できない隠蔽層であり、
該隠蔽層の上方には上層を設け、該上層はＵＶ硬化インクによって形成されていると共に前記隠蔽層の領域境界を越えた領域にまで広がって形成されて該隠蔽層を覆っており、
該上層は前記隠蔽層を覆う領域において、上方からの視認により該隠蔽層の色の影響を受け得る薄さの領域を有していると共に、該上層は前記隠蔽層の領域境界を越えた領域においても下方の前記有色層の色の影響を受け得る薄さの領域を有する
請求項１〜３の何れか１記載の模様を有するスポーツ用品。
【請求項６】
前記隠蔽層は顔料を使用した白色のＵＶ硬化インクの層であり、前記有色層の色と前記上層の色とが同系統の色である請求項５記載の模様を有するスポーツ用品。
【発明の詳細な説明】
【技術分野】
【０００１】
本発明は、模様を施した釣竿、リール、疑似餌、その他付属具等の釣具、並びにゴルフクラブ、ホッケーのシャフト、スキーのポール、杖等に関し、本願では杖もスポーツ用品に含めた模様を有するスポーツ用品に関する。
【背景技術】
【０００２】
釣りは、魚を得るという実用的な面もあるが、その釣りに使用する釣竿等の釣具は、趣味的な要素も強く、表面に模様装飾を施すことが多い。また、ゴルフクラブ、特にそのシャフトには模様装飾を施すこともある。この装飾の程度向上のため、模様の形成精度と形成自由度の高いことが望まれている。また、釣具やゴルフクラブの使用環境は厳しいと言え、常にその模様の剥がれや割れ等に対する耐久性も問題となる。更には、模様形成の低コスト化や、特に釣竿においては、軽量化は常の課題である。釣具表面に各種模様を施すことは、例えば、下記特許文献１〜４にも開示されている。特許文献１では、基盤材としての樹脂フィルムの上に箔模様や印刷模様を設けたシール貼着式の釣竿等の物品が開示されている。特許文献２では、ホットメルト型接着剤を使用して、耐久性のある各種デザインを施した釣竿が開示されている。特許文献３では、スプレー塗装装置のノズルを使用したぼかし模様の管状体が開示されている。特許文献４では、ブラストガン装置を使用したショットブラスト加工による模様の釣竿が開示されている。
【先行技術文献】
【特許文献】
【０００３】
【特許文献１】特開平６−１７８６３５号公報
【特許文献２】特開平７−３２２７９３号公報
【特許文献３】特開平７−７９６６８号公報
【特許文献４】特開平８−１５４５３９号公報
【発明の概要】
【発明が解決しようとする課題】
【０００４】
然しながら、上記特許文献１の発明では、基盤材フィルムの存在により、模様厚さが厚くなり、物品重量の増加を招いたり、引っ掛かりが生じたり、剥がれ易かったり、貼着作業に時間を要したり、模様間の位置関係の精度に限界が有る。特許文献２の発明では、接着剤を使用するため、模様厚さが厚くなり、釣竿重量の増加を招き、また、微細に変化する模様の形成には限界がある。特許文献３の発明では、或る程度のぼかし模様が可能となるため、ぼかしを必須とする模様には適するが、通常のスプレー方式のため、ぼかし模様の精度には限界がある。特許文献４の発明では、釣竿表面を刻設するため、釣竿の強度低下を招き易く、また、微細変化模様形成には限界がある。
依って本発明は、所望の美観を呈すると共に耐久性の高い模様を有するスポーツ用品の提供を目的とする。
【課題を解決するための手段】
【０００５】
上記目的に鑑みて第１の発明は、スポーツ用品の表面に模様層を具備しており、該模様層が単一層の場合は該模様層が所定層であり、複数層から成る場合は該複数層の内の所定層につき、該所定層の下面に隣接する該所定層の付着する付着対象面は所定の微細凹凸となった表面荒らしが成されており、該所定層の上面は所定方向に沿った断面において波状となった波状凹凸を呈しており、これら波状凹凸を形成する複数の離散的凸条はスポーツ用品の表面に沿って延伸していると共に、該複数の離散的凸条の半数以上は各凸条を区画形成する両長辺の少なくとも一辺が該辺の延伸方向に沿って波状に形成されており、該辺の波状のピッチと前記波状凹凸のピッチの何れよりも、前記微細凹凸の凸間隔が小さいことを特徴とする模様を有するスポーツ用品を提供する。
【０００６】
第２の発明は、第１の発明の前記所定層はインクジェット式印刷によって形成される層であり、噴射して付着対象面に付着した状態の液滴の直径よりも前記微細凹凸の凸間隔が小さいよう構成する。
ここでの直径は、インクジェットの噴射口からの噴射で付着させた付着液滴の大きさであるが、付着液滴の液滴底面に対して垂直方向から視認した場合の大きさであり、付着液滴の液滴底面が平面でないように変形してしまっている付着液滴が有った場合、それは除外する。言い換えれば、付着対象面に対して垂直方向に視認して円形になっている大部分の付着液滴の直径ということである。
【０００７】
第３の発明は、第１又は第２の発明の前記微細凹凸は、研摩材によって荒らされた荒らし面であり、前記所定層がＵＶ硬化インクの層であるよう構成する。
【０００８】
第４の発明は、第１〜第３の発明の前記模様層が複数層から成る場合であって、該模様層を構成する層として前記所定層の上に層が適宜数存在し、前記所定層がＵＶ硬化インクによって形成されていると共に、該所定層は上方から視認しても下方の層が視認できない隠蔽層であるか、又は、該所定層は透明又は半透明のＵＶ硬化インクの層であって、該所定層よりも上の何れかの層もＵＶ硬化インクによって形成されていると共に、該何れかの層は上方から視認しても下方の層が視認できない隠蔽層であり、該隠蔽層の上方には上層を設け、該上層はＵＶ硬化インクによって形成されていると共に、該上層の前記隠蔽層を覆う領域において、上方からの視認により該隠蔽層の色の影響を受け得る薄さの領域を有するよう構成する。
層の薄さ（厚さ）とは、層の広がり面においてインクが離散的な散らばり状態の場合も含んで表現している。以下同様。
【０００９】
第５の発明は、第１〜第３の発明の前記模様層が複数層から成る場合であって、該模様層を構成する層として、前記所定層の上に層が適宜数存在すると共に下方に有色層が存在し、前記所定層がＵＶ硬化インクによって形成されていると共に、該所定層は上方から視認しても下方の層が視認できない隠蔽層であるか、又は、該所定層は透明又は半透明のＵＶ硬化インクの層であって、該所定層よりも上の何れかの層もＵＶ硬化インクによって形成されていると共に、該何れかの層は上方から視認しても下方の層が視認できない隠蔽層であり、該隠蔽層の上方には上層を設け、該上層はＵＶ硬化インクによって形成されていると共に前記隠蔽層の領域境界を越えた領域にまで広がって形成されて該隠蔽層を覆っており、該上層は前記隠蔽層を覆う領域において、上方からの視認により該隠蔽層の色の影響を受け得る薄さの領域を有していると共に、該上層は前記隠蔽層の領域境界を越えた領域においても下方の前記有色層の色の影響を受け得る薄さの領域を有するよう構成する。
【００１０】
第６の発明は、第５の発明の前記隠蔽層は顔料を使用した白色のＵＶ硬化インクの層であり、前記有色層の色と前記上層の色とが同系統の色であるよう構成する。
【発明の効果】
【００１１】
第１の発明では、所定層の付着する付着対象面が微細凹凸となっているため、該所定層の付着対象面への付着性が向上し、ひいては模様層の耐久性が向上すると共に、この微細凹凸の粗さを表す凸間隔が、所定層の前記波状ピッチと波状凹凸のピッチの何れよりも小さいため、該所定層の各凸条や、凸条の波状辺が前記微細凹凸の影響を受けて上下凹凸状に変形することが防止される。即ち、所定層は付着対象面に対して付着性が良いと共に、所定層による所望通りの精度の高い模様（綺麗な模様）が形成できる。また、模様層が複数層から成る場合であって、所定層の上面に隣接する上面隣接層が有る場合、所定層上面の波状凹凸と波状辺の存在によって、この上面隣接層の付着性が向上し、模様層の耐久性が向上する。
【００１２】
第２の発明では、所定層を形成する最小単位である液滴の付着状態（潰れて広がった状態）での直径よりも前記微細凹凸の凸間隔が小さいので、当該荒らし面である付着対象面に付着した状態は、荒らし処理の無い平滑面への付着状態と同様に、付着対象面に沿った底面を有する付着液滴となり、該第２発明の場合よりもずっと粗い荒らし面の場合の凹凸を想定した場合に、付着液滴が凹部に入り込んで大きく傾斜したり変形したりするような付着状態になることが防止されるため、第１の発明よりも更に精度の高い（綺麗な）模様が形成できる。
【００１３】
第３の発明では、第１又は第２の発明をより具体的に規定している。ＵＶ硬化インクでは、付着後直ぐに硬化するため、そのＵＶ硬化インク層の形成が短時間で行えると共に、その上に他の層を形成する場合、直ぐに当該他の層の形成を開始できる。また、ＵＶ硬化インク層に対してほこりが付着する時間も無く、埃の付き難い品質の高い層となり、かつ、その意味でも耐久性の高い層となる。更には、ＵＶ硬化インクは溶剤を使用しないか、或いは使用しても、溶剤必須のインクと比較して溶剤が少なくて済むため、環境にも良い。また、直ぐに硬化することから、必要な場合は立体的な奥行きのある模様も形成できる。
【００１４】
第４の発明では、上層は下方の隠蔽層の色の影響を受け得る薄さ（厚さ）の領域を有するので、隠蔽層の上方に覆い被さっている上層の一部領域は、下方にある該隠蔽層の色の影響を受けた微妙な視認性が得られる。
【００１５】
第５の発明では、隠蔽層の上方に覆い被さっている領域は、下方にある該隠蔽層の色の影響を受ける微妙な視認性を呈する領域があり、隠蔽層の領域境界を越えた領域においても、下方の有色層の色の影響を受ける微妙な視認性を呈する領域がある。従って、上層の上方から視認すると、上層は、隠蔽層の色の影響を受けた微妙な色合いの領域と、下方の有色層の色の影響を受けた微妙な色合いとに変化した領域とが見られ、全体として味わい深い模様となる。
【００１６】
第６の発明では、隠蔽層は顔料を使用した白色の層であり、また、上層の色は有色層の色と同系統の色であるため、白色の隠蔽層を覆っている領域の一部の上層は、明度や彩度の高い明るい色となって視認され、隠蔽層をはみ出した領域の一部では、下方の同系統の色と重なった明度の低い濃い色となり、全体として独特の美観の模様が得られる。
【図面の簡単な説明】
【００１７】
【図１】本発明に係るスポーツ用品の例の釣具としての釣竿の正面図。
【図２】図１の模様領域の一部分の拡大図。
【図３】図２のＣ部拡大図。
【図４】図３の矢視線Ｄ−Ｄによる模式的拡大横断面図。
【図５】図４のＥ部を図４の上方から見た拡大模式図。
【発明を実施するための形態】
【００１８】
以下、本発明を添付図面を用いて更に詳細に説明する。図１は本発明に係るスポーツ用品としての釣竿の第１実施形態例の正面図であり、元竿１０に第１中竿１２が、該第１中竿１２に対して第２中竿１４が、夫々継ぎ合わされている状態を示している。第２中竿１４より前側の竿杆は図示を省略している。各竿杆は、エポキシ樹脂等の合成樹脂マトリックスを炭素繊維等の強化繊維によって強化した繊維強化樹脂製の竿杆である。この例では、元竿１０の表面に所定の模様が施されている。その模様の一部である文字Ａの図２に示すＣ部を拡大した図３の矢視線Ｄ−Ｄによる模式的拡大横断面図である図４を参照する。
【００１９】
竿杆１０の繊維強化樹脂製素材２０の表面は、加圧加熱成形時において緊締テープを巻回していた場合は緊締テープ跡である凹凸跡が残っている。その他の製法を採用した場合も含め、素材２０の表面を平滑化するために、例えば、素材２０に使用の合成樹脂と同系統のエポキシ樹脂等の塗料によって下塗り塗装を行い、平滑層２２を元竿１０の素材表面全体に亘って設けている。この塗装方法にはスプレー塗装や扱き塗装が使用される。
【００２０】
前記平滑層２２の上には、模様層の一部として、例えば、メタリック粉末を混合させた、有色層としての所定色の層２４を設けている。この例では、赤色層２４である。メタリック粉末を設けない場合や赤以外の色の場合もある。また、この赤色層２４を設けない場合もある。この赤色層２４は元竿１０の全周に亘って設けているが、元竿１０の長さ方向においては模様形成の範囲だけでよい。この赤色層２４もスプレー塗装や扱き塗装によって形成されている。
【００２１】
次に、赤色層２４の上に、透明なアクリル樹脂、ウレタン樹脂、エポキシ樹脂、アクリルウレタン樹脂等による透明樹脂層２６を設ける。この透明樹脂層２６は、当該透明樹脂層２６の上に形成されるインクによる模様の層を形成する領域に亘っていればよいが、元竿１０の周方向の全周に亘っていてもよい。この透明樹脂層２６もスプレー塗装や扱き塗装によって形成されている。この透明樹脂層２６は、この層の上に形成するインク層の形成が失敗をした場合に、それを削り取れる削り代としての層厚を有する。当該透明樹脂層２６の上表面２６ＳはＪＩＳ規格の８００番〜１２００番の範囲内の目の研摩材で荒らし処理を施し、インクの付着性を向上担保させている。８００番よりも目が粗いと面が荒れて、その上のインク模様層が凹凸し、綺麗な模様とならず、また、１２００番よりも目が細かければ荒らし程度が不足してインクの付着性が低く、インク層が剥離し易い。
【００２２】
透明樹脂層２６にインク層２８，３０を設ける。これらインク層のインクとしてはＵＶ硬化インクを使用している。このインクは、インクを付着させて直ぐに紫外線や電子線等の電磁波を照射して当該付着インクを硬化させることができ、模様形成の作業性が大きく向上し、低コスト化に寄与する。また、インクの付着対象面である前記上表面２６Ｓに、ＵＶ硬化インク等のインクを付着させるには、直接印刷方式としてスクリーン印刷やインクジェット印刷、転写方式として凸版印刷、凹版印刷（グラビア印刷）、パッド印刷等の手法がある。また、インクの着色剤としては顔料を使用する。有色インクの場合は、シアン、イエロー、マゼンタの三原色の他に、黒色又は／及び白色のインクを使用することがある。更には、三原色に対する中間色のインクをも追加して、色の再現性を更に向上させることもできる。
【００２３】
この例では、インク層２８は酸化チタン（ＴｉＯ２）による白色インクによって形成され、この層よりも下方の層が視認できない厚さの隠蔽層２８としている。この隠蔽層２８の上に、該隠蔽層全体を覆い、更にその隠蔽層２８の領域境界を越えた範囲にまで亘って、前記下方の赤色層２４の赤色と同系統の色である赤色の上層としての赤色層３０を設けている。
【００２４】
赤色層３０は、該赤色層の上方から視認した場合、下方の層の色の色相や明度等の影響を受け得る厚さ（薄さ）である。従って、領域Ｚ１の範囲では遮蔽層２８の白色の影響によって、明度の高い鮮やかな赤色に視認される。また、領域Ｚ３では、赤色層３０は遮蔽層２８の影響を受けない領域であり、下方の赤色層２４の影響を受けて濃い（暗い）赤色となる。更に、領域Ｚ５は、この例では、色としては、元竿１０の外から下方の赤色層２４だけが視認される領域である。
【００２５】
前記遮蔽層２８と透明樹脂層２６の間に、着色剤の入っていない透明や半透明のＵＶ硬化インクの層を設けることも可能である。本願第１発明等にはこうした構造態様も含まれている。
【００２６】
こうした各インク層２８，３０形成後に、そのインク模様層の保護等のために、透明なアクリル樹脂やウレタン樹脂の保護層３２を、インク模様領域全体だけに亘って形成する。この保護層３２はスプレー塗装や刷毛塗り塗装によって形成される。その部分的な保護層３２の上に、適宜なシール部材３４を貼着することもある。その後、インク層や保護層３２を外れた領域の透明樹脂層上面２６Ｓの微細凹凸を平滑化する等の目的で、元竿１０の全領域に亘って透明なアクリル樹脂やウレタン樹脂の保護層３６を設けている。保護層３２又は保護層３６は必要に応じて設ける。
【００２７】
本願では、赤色層２４を含み、それ以降の上側の層であって赤色層３０までを模様層と称している。透明樹脂層２６の下側に装飾に寄与する層、この例では赤色層２４であるが、これが無い場合は、透明樹脂層２６よりも上側の層であって赤色層３０まで、即ち、層２８，３０を模様層とする。
【００２８】
上記例では、下方の赤色層２４と上方の赤色層３０とは共に赤色としたが、同系統の色としては赤色以外の適宜な色同士でも良い。また、必ずしも同系統の色でなくてもよい。更には、下方の赤色層２４の層が無い形態もあり得る。また、インクによるインク模様は、上記例では白色と赤色の２色の２層であるが、１色の場合もあり、３色以上の場合も有る。また、インク層は１層の場合や３層以上の場合も有り得る。更には、上記例では隠蔽層２８が存在するが、隠蔽層が無くてもよい。また、下層（隠蔽層）２８の上に上層（赤色層）３０が全面に亘って覆い被さっているが、インク模様として必ずしもこのように全面に亘って被さる必要はなく、部分的に重なっていたり、或いは全く重なりが無い形態も考えられる。
【００２９】
ここで、図５は図４のＥ部の上面視による拡大模式図である。このＥ部領域の赤色層３０は透明樹脂層２６の上面２６Ｓに付着している。以下の説明事項は、隠蔽層２８の全体領域と透明樹脂層２６との関係にもそのまま当てはまる。透明樹脂層２６の上面２６Ｓは、既述の８００番〜１２００番の範囲の目の研摩材によって荒らされて、この例では、元竿１０の円周方向に延伸した凹条と凸条を交互に多数併設した形態の微細凹凸面に形成されている。この微細凹凸の凸間隔をＰ０とする。一方、赤色層３０は、平均的ピッチＰ１で離隔した畝状の凸条３０Ｔが上に向かって凸に形成されており、それらの凸条の間は凹条となっている。この例では、各凸条や凹条は元竿１０の長手方向に延伸している。即ち、元竿の円周方向に沿った断面において波状になっている。
【００３０】
各凸条３０Ｔを区画形成している元竿長手方向に沿う両長辺は、離散的凸条の半数以上の少なくとも各一辺が図示の如く波状に形成されている。離散的凸条の大部分の少なくとも各一辺が波状に形成されることもある。本願では大部分とは９０％以上を言う。その波状の平均的なピッチをＰ２とする。例えばインクジェット式装置によれば、こうした離散的凸条３０Ｔは、ヘッドにおいて、各色毎に、或るピッチ間隔で列を成した状態で複数個の噴射口の列を形成しており、この列を他の色の列と併設しており、これでインクを噴射させると共に、小刻みな適宜ピッチで当該ヘッドを付着対象面２６Ｓ（即ち、元竿１０）に対して相対移動させてインクを噴射させて行き、そのヘッドの移動に所定時間（又は所定距離）遅れてヘッドの移動に従属させて紫外線等の照射装置を移動させ、ＵＶ硬化インクを付着対象面に噴射、付着させた後、紫外線等を照射することで凸条の離隔距離ピッチＰ１が形成される。上記の遅れ時間を種々に設定することで、適宜タイミングで硬化処理できる。
【００３１】
また、各凸条３０Ｔの辺の波は、上記のようにＵＶ硬化インクを付着対象面２６Ｓへ噴射して付着させた後、早目に紫外線等を照射することで、噴射された隣接するインク液滴同士が適宜数合体するも、全てが合体する前に素早く硬化するようにできる。このため波状となる。また、時折、凸条３０Ｔ間の凹条には、隣接インク液滴同士が合体する前に硬化した離散的な液滴硬化体３０Ａが存在することがある。これらの平均的サイズ（幅、直径）をＤ１とする。なお、離散的な液滴硬化体３０Ａには、幾つかのインク液滴同士が合体したものも有り得る。
【００３２】
上記Ｐ１もＰ２もＰ０より相当に大きい。また、上記サイズＤ１もＰ０より大きい。インクジェットのヘッドの噴射口は付着対象面から２ｍｍ以下の距離離隔させた状態で噴射を行う。インクジェットによる噴射液滴が付着対象面に付着した場合、付着対象面に当たって潰れて広がり、噴射方向（噴射対象面に垂直方向）に視認すれば、円形や楕円形状となる。
【００３３】
Ｐ０、Ｐ１、Ｐ２、Ｄ１の各数値を例示すると、順に０．５〜８μｍ、１３０〜２５０μｍ、７０〜１２０μｍ、１０〜６０μｍである。層２２，２４，２６の各層厚を例示すると、２０〜７０μｍ、１０〜２０μｍ、１０〜２０μｍであり、上記例示層厚の場合の層２８，３０の凸条の高さ（厚さ）は、夫々、５〜５０μｍ、５〜６０μｍであり、実質的には夫々の層２８，３０の厚さと同じ（概ね同じ）とみてよい。
【００３４】
インクジェット印刷ではない場合、スクリーン印刷、凸版印刷、凹版印刷、パッド印刷では、各刷版の目や凸部や凹部を上記凹凸条や辺の波状に対応させて形成する。
【００３５】
透明樹脂層２６の上面２６Ｓが既述の微細凹凸に形成されているため、Ｚ３領域の赤色インク層３０は当該上面２６Ｓへの付着性が高い。この透明樹脂層上面２６Ｓと赤色インク層３０との縁境界ＢＬは、赤色インク層の領域縁境界線に沿った単純なライン、即ち、直線や滑らかな曲線にはならず、図５の面内方向に出入りする状態になっており、付着性の高いことを現わしており、ひいては模様層の耐久性が向上する。このことは、透明樹脂層上面２６Ｓと所定層である隠蔽層２８との関係においても同様である。また、隠蔽層２８の上面に隣接する上面隣接層である赤色層３０は、隠蔽層２８の上面の離散凸条（凹条）による波状凹凸と波状辺の存在によって、隠蔽層２８に対するこの赤色層３０の付着性も向上し、ひいては模様層の耐久性が向上する。
【００３６】
また、この透明樹脂層上面２６Ｓの微細凹凸の粗さを表す凸間隔Ｐ０が、赤色層３０（又は隠蔽層２８）上面の波状凹凸条ピッチＰ１と波状ピッチＰ２の何れよりも（相当に）小さいため、更には、インクジェットによる場合の付着液滴の直径Ｄ１よりも小さいため、インク層形成最小単位である各付着液滴が透明樹脂層上面２６Ｓの微細凹凸の上でも、実質的に傾斜することなく、設定通りに上面２６Ｓのマクロ的面に沿って（平行に）配設されると共に、該赤色層（又は隠蔽層）の各凸条や凸条の波状辺が、前記微細凹凸の影響を受けて上下にデコボコ状に変形するようなことが防止される。即ち、赤色層３０（又は隠蔽層２８）は透明樹脂層上面２６Ｓに対して付着性が良いだけではなく、所望通りの層が精度良く綺麗に形成でき、綺麗な模様のための層が形成される。
【００３７】
以上では、インク層の耐久性向上のために、インク層付着対象面を荒らしたが、これに代えて、或いはこれの上に、熱硬化型としての一液塗料タイプと二液塗料タイプ、紫外線硬化型としてのインクジェットインクタイプ、等のプライマーを付着対象面に塗布しておいてもよい。また、付着対象面、即ち、透明樹脂層２６を、エポキシ樹脂、メラミン樹脂、又はポリエステル樹脂等のインク付着性の良い合成樹脂材で形成してもよい。
【００３８】
図５の凸条３０Ｔ（隠蔽層２８の凸条も同様）とその間の凹条の延伸方向が元竿等の竿杆の長手方向である場合は、釣竿が撓み変形を受けた場合、中空管である竿杆（竿管）の横断面変形を伴う潰れ変形時に、凹条が変形し易いためこれらの層２８，３０は竿管潰れ変形に沿い易く、層２８，３０の剥離や割れを生じ難い。また、凸条と凹条の延伸方向が竿杆の円周方向であれば、凹条が変形し易いため、層２８，３０は竿杆の長手方向の撓み変形に沿い易く、撓みに際して層２８，３０の剥離や割れを生じ難い。これらのことはゴルフクラブのシャフト、ホッケーのシャフト、スキーのポール、杖等においても同様である。
【産業上の利用可能性】
【００３９】
本発明は、釣竿、リール、疑似餌、その他付属具の釣具、並びにゴルフクラブ、ホッケーのシャフト、スキーのポール、杖等の模様を有するスポーツ用品に利用できる。従って、繊維強化樹脂製素材以外の物品にも本発明は適用できる。
【符号の説明】
【００４０】
２０            繊維強化樹脂製素材
２２            平滑層
２４            下方の赤色層（模様層）
２６            透明樹脂層（模様層）
２６Ｓ          上表面
２８            隠蔽層（ＵＶ硬化インク層）（模様層）
３０            赤色層（ＵＶ硬化インク層）（模様層）
３２            保護層
３６            保護層
【図１】
0005723508.tif 000002
【図２】
0005723508.tif 000003
【図３】
0005723508.tif 000004
【図４】
0005723508.tif 000005
【図５】
0005723508.tif 000006